(57)【要約】      （修正有）【課題】駐車券を受け取ったり、料金支払いのためにゲートで車を一旦停止させる必要が無く、かつ駐車場の空いている場所を運転者が容易に把握することができる駐車場管理システムを提供する。【解決手段】駐車場に入場する場合に、駐車を行なう利用者のID情報等の車両を駐車するのに必要な情報を管理端末３で駐車場の入場時刻と対応付けて管理を行い、駐車場から出る場合には駐車場から出る時刻と入場時刻から自動的に駐車時間の計算を行ない、この情報を携帯電話機１へ送信することで、携帯電話機１は利用状況を自動的に受信でき、料金等の利用状況は管理端末３で管理されており、後日利用者へ請求される。また駐車場に入場した場合には、現在の駐車場の空き情報を入手して携帯電話機１の表示画面にメッセージや画像データとして表示する。【選択図】図１
2005321868.tif 000002
【特許請求の範囲】
【請求項１】
車両に車載されている通信装置と、駐車場のゲートに設置されている送受信装置と、前記送受信装置で受信した情報及び駐車場の駐車空きスペースを管理する管理端末とを含む駐車場管理システムであって、
前記送受信装置は駐車場のゲートに車両が来たことを検出し、更に車両が駐車場に入場又は退場のどちらを行なうのかを検出する車両検出手段と、前記車両検出手段が車両が入場しようとしていると判断した場合には、前記管理端末へ駐車場の空き情報を送出するように指示を出す駐車場空き検出指示部と、前記駐車場空き検出指示部の指示によって前記管理端末から送られてきた駐車場の空き情報を前記通信端末へ送信する通信部とを備えたことを特徴とする駐車管理システム。
【発明の詳細な説明】
【技術分野】
【０００１】
駐車場などでの料金及び駐車状況の管理を行なう駐車場管理システムに関する。
【背景技術】
【０００２】
従来、駐車場に車の駐車を行なう場合には、駐車場の入り口ゲートの所で一度車を止め、駐車券発行装置から駐車券を受け取って駐車場内に入っていた。また駐車場から出る場合には、出口ゲートで一度車を止め、駐車場に入場の際に受け取った駐車券を出口ゲートに設置されている料金精算装置に入れ、料金精算装置の表示部に示されている料金を支払うことで駐車場から出ることができる。
また、従来の駐車場では満車または空車などの表示を行い、駐車場の込み具合を運転者へ知らせていた。
【発明の開示】
【発明が解決しようとする課題】
【０００３】
上記従来技術で説明したように、駐車場に車を止める場合には入り口ゲート及び出口ゲートで車を一旦停止させ、駐車場に入るための駐車券を受け取ったり、駐車場から出るために料金を支払ったりしなければならず時間がかかっていた。
また、駐車場の入り口の表示装置に空車と書いてあっても、駐車場のどこの場所が空いているのか運転者は把握することができず、駐車を行なうために駐車場内を彷徨ってしまうこともあり、駐車するまでに無駄な時間がかかってしまう。
【課題を解決するための手段】
【０００４】
本発明は、車両に車載されている通信装置と、駐車場のゲートに設置されている送受信装置と、前記送受信装置で受信した情報及び駐車場の駐車空きスペースを管理する管理端末とを含む駐車場管理システムであって、前記送受信装置は駐車場のゲートに車両が来たことを検出し、更に車両が駐車場に入場又は退場のどちらを行なうのかを検出する車両検出手段と、前記車両検出手段が車両が入場しようとしていると判断した場合には、前記管理端末へ駐車場の空き情報を送出するように指示を出す駐車場空き検出指示部と、前記駐車場空き検出指示部によって前記管理端末から送られてきた駐車場の空き情報を前記通信端末へ送信する通信部とを備えた駐車管理システムとすることで課題を解決するものである。
【発明の効果】
【０００５】
本システムでは駐車場に入場する場合に、駐車を行なう利用者のID情報等の車両を駐車するのに必要な情報を管理端末で駐車場の入場時刻と対応付けて管理を行い、駐車場から出る場合には駐車場から出る時刻と入場時刻から自動的に駐車時間の計算を行ない、この情報を携帯電話機へ送信することで、携帯電話機は利用状況を自動的に受信でき、料金等の利用状況は管理端末で管理されており、後日利用者へ請求される。このため、駐車場に車を止める場合には入り口ゲート及び出口ゲートで車を一旦停止させ、駐車場に入るための駐車券を受け取ったり、駐車場から出るために料金を支払ったりすることが無くなる。
また駐車場に入場した場合には、現在の駐車場の空き情報を入手して携帯電話機の表示画面にメッセージや画像データとして表示することで、駐車場のどこの場所が空いているのか運転者が把握することができず、駐車を行なうために駐車場内を彷徨ってしまうことも無くなる。
【発明を実施するための最良の形態】
【０００６】
本発明のシステムの概要について図１を用いて説明を行なっていく。図１のシステムは、駐車場のゲートに設置されている送受信機２と、前記送受信機２と通信を行うことができる携帯電話機１と、前記送受信機２で受信したデータを管理する管理端末３から構成されている。
本システムの各装置について図２の(a)から(c)を用いて説明していく。図２の(a)には携帯電話機の概要を示している。図２の(a)に示す携帯電話機１は、音声入力部２−１−１、音声出力部２−１−７、他の携帯電話機と通信を行う第１通信部２−１−２と、使用者からの入力を受け付ける入力部２−１−５と、受信したメッセージや入力部２−１−５での入力の内容表示を行う表示部２−１−６と、通信で得た情報や使用者からの登録操作で登録されたデータを記憶する記憶部２−１−３と、駐車場のゲートに設けられている送受信機２と通信を行なう第２通信部２−１−４と、他の携帯電話機１又は、駐車場のゲートに設置されている送受信機２のどちらと通信をするかを切替えることが出来る切替スイッチ部２−１−９と、携帯電話機１の各機能部を制御する制御部２−１−８とを有する携帯電話機１である。
図２の(b)には、駐車場のゲートに設置されている送受信機２の概要を示している。図２の(b)に示す送受信機２は、携帯電話機１と通信を行う通信部２−２−１と、携帯電話機１から受信した情報を記憶する記憶部２−２−２と、前記記憶部２−２−２に記憶した情報を管理端末３へ送信するデータ通信部２−２−４と、管理端末３に記憶されている情報を基に現在の駐車場の空き情報等を検出し、送受信機２へ送信するように指示を出す駐車場空き検出指示部２−２−３と、駐車場のゲートに車両が来たことを検出する車両検出部２−２−６と、送受信機２の各機能部を制御する制御部２−２−５とを有する送受信機２である。前記駐車場空き検出指示部２−２−３の指示により管理端末３から受信した駐車場の空き情報は送受信機２の通信部２−２−１から携帯電話機１へ前記情報が送信される。
図２の(c)には、駐車場のゲートに設置されている送受信機２が収集した情報を管理する管理端末３の概要を示している。図２の(c)に示す管理端末３は、使用者からの入力を受付ける入力部２−３−２と、前記入力部２−３−２から入力されたデータや記憶部２−３−４に記憶されているデータの表示を行う表示部２−３−６と、駐車場のゲートに設置されている送受信機２と通信を行うデータ通信部２−３−１と、前記データ通信部２−３−１で受信した送受信機２から送られてきた情報を記憶しておく記憶部２−３−４と、送受信機２から現在の駐車場の空き情報を検出する指示を受けて現在の駐車場の空き情報の検出を行なう検出部２−３−３と、管理端末３の各機能部を制御する制御部２−３−５とを有する管理端末３である。
【０００７】
次に、本システムの処理の流れについて図３、図４を用いて説明を行なっていく。まず、車両が駐車場に入ってくる場合についての説明を図３を用いて行なっていく。駐車場に車両が入ってくると、駐車場のゲートに設けられている送受信機２が送受信機２に備えられている車両検出部のセンサにより車両を検出し、車両に車載されている携帯電話機１のID情報等を送信するように携帯電話機１に要求信号を送出する。（S３０１）送受信機２に備えられている車両検出部のセンサについては後述する。車両に車載されている携帯電話機１は、ゲートに設置されている送受信機２から要求信号を受信すると、携帯電話機１の記憶部２−１−３に記憶されているID情報等の車両を駐車するのに必要な情報を送受信機２へ送信する。（S３０２）次に送受信機２は、携帯電話機１から受信したID情報等の車両を駐車するのに必要な情報を管理端末３へ送信を行う。（S３０３）管理端末３は送受信機２から送信されてきたID情報等の車両を駐車するのに必要な情報を、受信した日時と共に管理端末３の記憶部２−３−４へ記憶を行なう。管理端末３は記憶部２−３−４へ受信した情報の記憶を行なうと、ID情報等の車両を駐車するのに必要な情報を記憶した旨の通知を送受信機２に送信する。（S３０４）送受信機２は、管理端末３からID情報等の車両を駐車するのに必要な情報を記憶した旨の通知を受信すると、現在の駐車場の空き状況を検出するために管理端末３へ駐車場の空き情報を送信するように要求を出す。（S３０５）管理端末３は、送受信機２から送信されてきた、現在の駐車場の空き状況送信要求を受信すると、記憶部２−３−４に記憶されている駐車場の空き状況を送受信機２へ送信する。（S３０６）ここで管理端末３は、駐車場の各駐車スペースに設置されている車両検知センサと定期的に通信を行い、現在駐車場のどこに車両が駐車されているのか管理を行なっているものとする。送受信機２は、管理端末３より現在の駐車場の空き状況の情報を受信すると、受信した情報を携帯電話機１へ送信する。（S３０７）携帯電話機１は送受信機２から現在の駐車場の空き状況の情報を受信すると、表示画面に現在駐車できる場所をメッセージや地図データとして表示する。
【０００８】
次に、車両が駐車場から出る場合についての説明を図４を用いて行なっていく。駐車場に停めてある車両が駐車場のゲートにくると、駐車場のゲートに設けられている送受信機２に備えられている車両検出部のセンサにより車両を検出し、車両に車載されている携帯電話機１のID情報を送信するように携帯電話機１に要求信号を送出する。（S４０１）車両に車載されている携帯電話機１は、ゲートに設置されている送受信機２から要求信号を受信すると、携帯電話機１の記憶部２−１−３に記憶されているID情報等の車両を駐車するのに必要な情報を送受信機２へ送信する。（S４０２）次に送受信機２は、携帯電話機１から受信したID情報等の車両を駐車するのに必要な情報を管理端末３へ送信を行う。（S４０３）管理端末３は送受信機２から送信されてきたID情報等の車両を駐車するのに必要な情報と、車両が駐車場に入場する際に送信した情報と比較を行い、当該車両がどのくらい駐車を行なっていたのか駐車時間の計算を行い、駐車料金の計算を行う。管理端末３で計算された駐車料金は、料金情報として送受信機２へ送信される。（S４０４）送受信機２で受信された料金情報は、携帯電話機１へ送信され携帯電話機１の記憶部２−１−３に料金情報が記憶され、携帯電話機の表示画面には料金が表示される。（S４０５）
図３及び図４で説明したように、管理端末３により駐車料金の算出及び管理を行い、後日駐車場を利用した利用者に対して駐車場の利用料金を請求することによって、自動的に料金を支払うシステムとすることができる。また駐車場に入場する際には、駐車場のゲートに設置されている送受信機２から駐車場の空き情報を受信し、車両に車載されている携帯電話機１の表示画面に表示するようにすることで、駐車スペースを探すために彷徨ったりすることが無くなる。
【０００９】
次に、送受信機２が車両を検出する処理について図５を用いて説明していく。送受信機２には車両認識センサが２つ設けられており、図５に示すようにセンサは設置されている。駐車場の入り口には第1車両認識センサ５−１が備えられており、駐車場の出口には第2車両認識センサ５−２が備えられている。車両が駐車場に入場しようとする場合は第1車両認識センサ５−１が反応し、車両が駐車場から出る場合には、第2車両認識センサ５−２が最初に反応するため、送受信機２はどちらのセンサが最初に反応したかを検出することで車両が駐車場に入ってきているのか又は、駐車場から出ようとしているのかを検出することができる。このようにして本実施例のシステムでは車両を検出し、その車両が駐車場に入場しようとしているのか又は、駐車場から出ようとしているのか検出することができる。
【００１０】
次に、図６の(a)から(c)はゲートに設置されている送受信機２から送信されてきた、駐車場の空き状況の情報又は、料金情報を携帯電話機１が受信を行い、受信した情報を携帯電話機１の表示画面に表示した場合の表示画面の図を示している。図６の(a)と(b)は、送受信機２より駐車場の空き状況の情報が送られてきた場合の、携帯電話機１の画面を示した図である。送受信機２より駐車場の空き状況の情報が送られてきた場合には、図６(a)のに示すように携帯電話機１の画面には駐車スペースが空いている場所の案内をメッセージで表示したり、図６の(b)に示しているように駐車場の地図を表示し駐車スペースの空いている場所の表示を行う。
次に、携帯電話機１が送受信機２より料金情報を受信した場合の携帯電話機１の表示画面を図６の(c)に示す。図６の(c)に示すように料金表示は、今回利用した料金及び時刻等の表示を行うようにする。
【００１１】
以上で述べたように本システムでは駐車場に入場する場合に、駐車を行なう利用者のID情報等の車両を駐車するのに必要な情報を管理端末で駐車場の入場時刻と対応付けて管理を行い、駐車場から出る場合には駐車場から出る時刻と入場時刻から自動的に駐車時間の計算を行ない、この情報を送受信機から携帯電話機へ送信することで、携帯電話機は利用状況を自動的に受信でき、料金等の利用状況は管理端末で管理されており、後日利用者へ請求される。このため、駐車場に車を止める場合には入り口ゲート及び出口ゲートで車を一旦停止させ、駐車場に入るための駐車券を受け取ったり、駐車場から出るために料金を支払ったりすることが無くなる。
また駐車場に入場した場合には、現在の駐車場の空き情報を入手して携帯電話機の表示画面にメッセージや画像データとして表示することで、駐車場のどこの場所が空いているのか運転者が把握することができず、駐車を行なうために駐車場内を彷徨ってしまうことも無くなる。
【図面の簡単な説明】
【００１２】
【図１】システムの構成を示す図
【図２（ａ）】携帯電話機の構成を示す図
【図２（ｂ）】送受信機の構成を示す図
【図２（ｃ）】管理端末の構成を示す図
【図３】車両が駐車場に入場する場合の各装置間の処理
【図４】車両が駐車場から出る場合の各装置間の処理
【図５】車両検出処理を示す図
【図６（ａ）】駐車場の空き情報を示す図（メッセージ）
【図６（ｂ）】駐車場の空き情報を示す図（地図データ）
【図６（ｃ）】料金表示の表示を示す図
【符号の説明】
【００１３】
１：車両に車載されている携帯電話機、２：駐車場のゲートに設置されている送受信機、３送受信機が受信した情報を管理する管理端末
【図１】
2005321868.tif 000003
【図２（ａ）】
2005321868.tif 000004
【図２（ｂ）】
2005321868.tif 000005
【図２（ｃ）】
2005321868.tif 000006
【図３】
2005321868.tif 000007
【図４】
2005321868.tif 000008
【図５】
2005321868.tif 000009
【図６（ａ）】
2005321868.tif 000010
【図６（ｂ）】
2005321868.tif 000011
【図６（ｃ）】
2005321868.tif 000012